(57)【要約】【課題】冷房運転時および暖房運転時においても、タンク内の液体を温水化することができる空調給湯システムを提供する。【解決手段】圧縮機１０と、冷媒切換部２０と、室外熱交換器３０と、室内冷媒調整弁４１〜４３と、室内熱交換器５１〜５３と、を備え、圧縮機１０の吐出側と冷媒切換部２０の第１ポートａとを接続する冷媒流路は、分岐しており、第１冷媒調整弁７１およびタンク６０内に貯留されるタンク水と熱交換するタンク熱交換器６１を介して第１ポートａと接続する第１流路と、第２冷媒調整弁７２を介して第１ポートａと接続する第２流路と、を有することを特徴とする。【選択図】図１
2018036002.tif 000002
【特許請求の範囲】
【請求項１】
圧縮機と、冷媒切換部と、室外熱交換器と、室内冷媒調整弁と、室内熱交換器と、を備え、
前記圧縮機の吐出側と前記冷媒切換部の第１ポートとを接続する冷媒流路は、分岐しており、
第１冷媒調整弁およびタンク内に貯留されるタンク水と熱交換するタンク熱交換器を介して前記第１ポートと接続する第１流路と、
第２冷媒調整弁を介して前記第１ポートと接続する第２流路と、を有する
ことを特徴とする空調給湯システム。
【請求項２】
前記タンク内に貯留されるタンク水の温度を検出するタンク温度検出部と、
前記圧縮機、前記冷媒切換部、前記室外熱交換器の室外送風機、前記室内冷媒調整弁、前記第１冷媒調整弁、前記第２冷媒調整弁を制御する制御部と、を備え、
前記制御部は、
前記タンク温度検出部の検出温度に基づいて、前記第１冷媒調整弁の開度を制御する
ことを特徴とする請求項１に記載の空調給湯システム。
【請求項３】
前記制御部は、
前記第１冷媒調整弁の開度を大きくすると前記第２冷媒調整弁の開度を小さくし、
前記第１冷媒調整弁の開度を小さくすると前記第２冷媒調整弁の開度を大きくする
ことを特徴とする請求項１または請求項２に記載の空調給湯システム。
【請求項４】
前記制御部は、
前記第１冷媒調整弁の開度に基づいて、前記室外送風機の回転速度を制御する
ことを特徴とする請求項１乃至請求項３のいずれか１項に記載の空調給湯システム。
【請求項５】
前記圧縮機から吐出された冷媒の温度を検出する冷媒吐出温度検出部を備え、
前記制御部は、
前記冷媒吐出温度検出部の検出温度が設定された吐出目標温度となるように制御する
ことを特徴とする請求項１乃至請求項４のいずれか１項に記載の空調給湯システム。
【請求項６】
前記制御部は、
前記第１冷媒調整弁を開いて前記タンク熱交換器に冷媒を流す場合の前記吐出目標温度は、前記第１冷媒調整弁を閉じて前記タンク熱交換器に冷媒を流さない場合の前記吐出目標温度よりも高く設定する
ことを特徴とする請求項５に記載の空調給湯システム。
【請求項７】
前記タンク熱交換器は、前記タンクの容器の外周に巻きつけられた冷媒配管で構成される
ことを特徴とする請求項１乃至請求項６のいずれか１項に記載の空調給湯システム。
【請求項８】
前記制御部は、
デフロスト運転時において、前記第１冷媒調整弁を閉じる
ことを特徴とする請求項１乃至請求項７のいずれか１項に記載の空調給湯システム。
【請求項９】
前記制御部は、
デフロスト運転時において、前記タンク温度検出部の検出温度が閾値温度以上の場合、前記第１冷媒調整弁を開く
ことを特徴とする請求項１乃至請求項７のいずれか１項に記載の空調給湯システム。
【請求項１０】
前記室内冷媒調整弁および前記室内熱交換器をバイパスするバイパス流路と、該バイパス流路に設けられるバイパス路調整弁と、を備え、
前記制御部は、
前記タンク内に貯留されるタンク水を加熱する運転において、前記第１冷媒調整弁を全開し、前記室内冷媒調整弁および前記第２冷媒調整弁を全閉し、前記バイパス路調整弁を膨張弁として開度調整し、前記冷媒切換部を前記室外熱交換器が蒸発器として機能するように流路を切り換える
ことを特徴とする請求項１乃至請求項７のいずれか１項に記載の空調給湯システム。
【請求項１１】
圧縮機と、冷媒切換部と、室外熱交換器と、室内冷媒調整弁と、室内熱交換器と、を備え、
前記圧縮機の吐出側と前記冷媒切換部の第１ポートとを接続する冷媒流路は、分岐しており、
第１冷媒調整弁およびタンク内に貯留されるタンク水と熱交換するタンク熱交換器を介して前記第１ポートと接続する第１流路と、
冷媒開閉弁を介して前記第１ポートと接続する第２流路と、を有する
ことを特徴とする空調給湯システム。
【請求項１２】
圧縮機と、冷媒切換部と、室外熱交換器と、室内冷媒調整弁と、室内熱交換器と、を備え、
前記圧縮機の吐出側と前記冷媒切換部の第１ポートとを接続する冷媒流路は、分岐しており、
第１冷媒調整弁およびタンク内に貯留されるタンク水と熱交換するタンク熱交換器を介して前記第１ポートと接続する第１流路と、
第２冷媒調整弁を介して前記第１ポートと接続する第２流路と、
冷媒開閉弁を介して前記第１ポートと接続する第３流路と、を有する
ことを特徴とする空調給湯システム。
【発明の詳細な説明】
【技術分野】
【０００１】
本発明は、空調給湯システムに関する。
【背景技術】
【０００２】
空調システムは、空調する室内に設置される室内機と、室外に設置される室外機と、を備えている。このような空調システムにおいて、一般に、室外機の置き場所は縮小する方向にある。このため、１台の室外機に対し、２台以上の室内機を接続する方式の空調システムが知られている。
【０００３】
また、地球温暖化の対応のため、冷凍サイクルを採用した給湯システム（または、温水システム）が知られている。このような給湯システムは、水を加熱して温水とするため、冬季、夏季を問わず、一年中、暖房システムとして構成する必要がある。
【０００４】
一般的に、このような空調システムと給湯システムを組み合わせた空調給湯システムは、冷房と暖房を行う際、冷媒の流れを四方弁等により変更し、実現している。この方式については、特許文献１（特開２０１５−２０３５５０号公報）に記載されている。この方式によれば、四方弁により冷媒の流れを逆に流すことにより、冷房と暖房を行っている。したがって、２台以上の室内機を接続した場合、すべての室内機が、冷房運転または暖房運転となる。
【先行技術文献】
【特許文献】
【０００５】
【特許文献１】特開２０１５−２０３５５０号公報
【発明の概要】
【発明が解決しようとする課題】
【０００６】
特許文献１に記載の空調給湯システムでは、四方弁により、冷媒の流れを逆流させることにより、冷房または暖房を行うため、２台以上の室内機は、すべて、冷房運転または暖房運転となる。したがって、特に夏季において、室内機として、給湯システムを接続した場合、貯液タンク内を温水化することが困難となる。
【０００７】
そこで、本発明は、冷房運転時および暖房運転時においても、タンク内の液体を温水化することができる空調給湯システムを提供することを課題とする。
【課題を解決するための手段】
【０００８】
このような課題を解決するために、本発明に係る空調給湯システムは、圧縮機と、冷媒切換部と、室外熱交換器と、室内冷媒調整弁と、室内熱交換器と、を備え、前記圧縮機の吐出側と前記冷媒切換部の第１ポートとを接続する冷媒流路は、分岐しており、第１冷媒調整弁およびタンク内に貯留されるタンク水と熱交換するタンク熱交換器を介して前記第１ポートと接続する第１流路と、第２冷媒調整弁を介して前記第１ポートと接続する第２流路と、を有することを特徴とする。
【発明の効果】
【０００９】
本発明によれば、冷房運転時および暖房運転時においても、タンク内の液体を温水化することができる空調給湯システムを提供することができる。
【図面の簡単な説明】
【００１０】
【図１】第１実施形態に係る空調給湯システムの冷凍サイクル図である。
【図２】第１実施形態に係る空調給湯システムの冷房・沸き上げ運転における給湯タンク内のタンク水温度と、冷媒調整弁、圧縮機の吐出目標温度および室外送風機の制御と、を説明するタイムチャートである。
【図３】第１実施形態に係る空調給湯システムの暖房・沸き上げ運転における給湯タンク内のタンク水温度と、冷媒調整弁、圧縮機の吐出目標温度および室外送風機の制御と、を説明するタイムチャートである。
【図４】第２実施形態に係る空調給湯システムの冷凍サイクル図である。
【図５】第３実施形態に係る空調給湯システムの冷凍サイクル図である。
【発明を実施するための形態】
【００１１】
以下、本発明を実施するための形態（以下「実施形態」という）について、適宜図面を参照しながら詳細に説明する。なお、各図において、共通する部分には同一の符号を付し重複した説明を省略する。
【００１２】
≪第１実施形態≫
第１実施形態に係る空調給湯システムＳの構成について、図１を用いて説明する。図１は、第１実施形態に係る空調給湯システムＳの冷凍サイクル図である。
【００１３】
図１に示すように、第１実施形態に係る空調給湯システムＳは、圧縮機１０と、冷媒切換弁２０と、室外熱交換器３０と、室外送風機３１と、冷媒調整弁４１〜４３と、室内熱交換器５１〜５３と、給湯タンク６０と、給湯熱交換器６１と、冷媒調整弁７０〜７２と、接続弁８１〜８８と、制御部９０と、各温度検出器９１〜９４と、を備えている。
【００１４】
圧縮機１０は、吸込側から冷媒を吸い込んで、吐出側から高温高圧の冷媒を吐出する。圧縮機１０の吸込側は、冷媒切換弁２０（後述するポートｄ）と、冷媒配管で接続されている。圧縮機１０の吐出側は、後述する冷媒調整弁７２等を介して、冷媒切換弁２０（後述するポートａ）と、冷媒配管で接続されている。また、圧縮機１０から吐出された冷媒の温度（吐出温度）を検出する吐出温度検出器９１が設けられている。吐出温度検出器９１で検出された検出信号は、後述する制御部９０に入力されるようになっている。なお、圧縮機１０は、後述する制御部９０によって、吐出温度（吐出温度検出器９１の検出温度）が所定の吐出目標温度となるように制御される。
【００１５】
冷媒切換弁２０は、切換主弁２１と、４つのポートａ〜ｄと、を備える四方弁である。冷媒切換弁２０は、例えば、通電等の制御により切換主弁２１をスライドさせて各ポートの接続関係を切り換えることができる電磁弁（いわゆる、ラッチ式電磁弁）を用いることができる。具体的には、切換主弁２１が図１の実線で示す位置にいる場合、ポートａとポートｂが連通するとともに、ポートｃとポートｄが連通する。切換主弁２１が図１の破線で示す位置にいる場合、ポートａとポートｃが連通するとともに、ポートｂとポートｄが連通する。なお、冷媒切換弁２０は、後述する制御部９０によって各ポートの接続関係（切換主弁２１の位置）が制御されるようになっている。
【００１６】
室外熱交換器３０は、空調給湯システムＳの室外機に配置されており、流入する冷媒と室外空気との間で熱交換をすることができるようになっている。室外熱交換器３０の一方側は、冷媒切換弁２０のポートｂと、冷媒配管で接続されている。室外熱交換器３０の他方側は、冷媒調整弁４１〜４３と、分岐する冷媒配管で接続されている。
【００１７】
また、空調給湯システムＳの室外機には、室外熱交換器３０における冷媒と室外空気との熱交換を促進させるため、室外送風機３１を備えている。なお、室外送風機３１は、後述する制御部９０によって送風量（回転速度）が制御されるようになっている。また、室外送風機３１の吸込口付近（室外空気の流れの向き３１ａにみて、室外熱交換器３０の上流側）には、室外空気の温度を検出する室外空気温度検出器９２が設けられている。また、室外熱交換器３０の温度を検出する室外熱交換器温度検出器９３が設けられている。室外空気温度検出器９２で検出された検出信号および室外熱交換器温度検出器９３で検出された検出信号は、後述する制御部９０に入力されるようになっている。
【００１８】
ここで、図１に示す第１実施形態に係る空調給湯システムＳは、１基の室外機（室外熱交換器３０）に対して、３基の室内機（室内熱交換器５１〜５３）を備えるいわゆるマルチタイプの空調給湯システムである。
【００１９】
冷媒調整弁４１〜４３は、開閉および開度調整が可能な弁である。冷媒調整弁４１〜４３の一方側は、室外熱交換器３０と、分岐する冷媒配管で接続されている。冷媒調整弁４１の他方側は、室内熱交換器５１と、冷媒配管で接続されている。冷媒調整弁４２の他方側は、室内熱交換器５２と、冷媒配管で接続されている。冷媒調整弁４３の他方側は、室内熱交換器５３と、冷媒配管で接続されている。なお、冷媒調整弁４１〜４３は、後述する制御部９０によってその開閉および開度が制御されるようになっている。
【００２０】
室内熱交換器５１〜５３は、空調給湯システムＳの室内機に配置されており、流入する冷媒と室内空気との間で熱交換をすることができるようになっている。室内熱交換器５１の一方側は、冷媒調整弁４１と、冷媒配管で接続されている。室内熱交換器５２の一方側は、冷媒調整弁４２と、冷媒配管で接続されている。室内熱交換器５３の一方側は、冷媒調整弁４３と、冷媒配管で接続されている。室内熱交換器５１〜５３の他方側は、冷媒切換弁２０のポートｃと、分岐する冷媒配管で接続されている。なお、図示は省略するが、各室内機には、筺体内に室内空気を取り込み、室内熱交換器５１〜５３で熱交換した（空気調和された）空気を再び室内に吹き出すためのファンを備えている。
【００２１】
なお、冷媒調整弁４１と室内熱交換器５１とを接続する冷媒配管には接続弁８１が設けられており、室内熱交換器５１と冷媒切換弁２０のポートｃとを接続する冷媒配管には接続弁８２が設けられている。同様に、冷媒調整弁４２と室内熱交換器５２とを接続する冷媒配管には接続弁８３が設けられており、室内熱交換器５２と冷媒切換弁２０のポートｃとを接続する冷媒配管には接続弁８４が設けられている。また、冷媒調整弁４３と室内熱交換器５３とを接続する冷媒配管には接続弁８５が設けられており、室内熱交換器５３と冷媒切換弁２０のポートｃとを接続する冷媒配管には接続弁８６が設けられている。このような構成により、各室内機（室内熱交換器５１〜５３）は、接続弁８１〜８６を介して取り付け取り外しができるようになっている。
【００２２】
また、第１実施形態に係る空調給湯システムＳは、給湯熱交換器６１を有する給湯タンク６０を備えている。
【００２３】
給湯タンク６０の内部にはタンク水（湯水）が貯留されている。なお、給湯タンク６０は、給湯タンク６０の下側から水道水を流入させることにより、内部のタンク水を押し上げて、給湯タンク６０の上側から湯水を給湯端末（例えば蛇口など）に直接供給する構成であってもよく、給湯タンク６０内のタンク水と水道水との間で熱交換する熱交換器（図示せず）を更に備えて、熱交換により加熱された水道水を給湯端末に供給する構成であってもよく、限定されるものではない。また、給湯タンク６０内に貯留されているタンク水は、湯水に限定されるものではない。
【００２４】
給湯熱交換器６１は、流入する冷媒と給湯タンク６０内に貯留されているタンク水との間で熱交換をすることができるようになっている。給湯熱交換器６１の一方側は、後述する冷媒調整弁７１と、冷媒配管で接続されている。給湯熱交換器６１の他方側は、冷媒切換弁２０のポートａと、分岐する冷媒配管で接続されている。また、給湯タンク６０内に貯留されているタンク水の温度を検出するタンク温度検出器９４が設けられている。タンク温度検出器９４で検出された検出信号は、後述する制御部９０に入力されるようになっている。
【００２５】
なお、給湯熱交換器６１は、図１に示す例においては、冷媒配管が給湯タンク６０の金属容器の外周に接触しながら巻きつけるようにして構成されている。そして、給湯タンク６０および給湯熱交換器６１が断熱材（図示せず）で覆われている。これにより、給湯熱交換器６１に流入する冷媒は、給湯熱交換器６１の冷媒配管および給湯タンク６０の金属容器を介して、給湯タンク６０内に貯留されているタンク水と熱交換するようになっている。このような構成とすることにより、後述する暖房運転の際、給湯熱交換器６１で凝縮熱の全てをタンク水に放出しない構造とすることができ、室内機の暖房能力を構造面から確保することができる。
【００２６】
なお、給湯熱交換器６１の構造は、前述の構造に限られるものではない。例えば、給湯熱交換器６１の冷媒配管が給湯タンク６０の容器側面から貫通して給湯タンク６０の容器内部に冷媒配管を配置することにより熱交換部を構成してもよい。これにより、給湯熱交換器６１に流入する冷媒は、給湯熱交換器６１の冷媒配管を介して、給湯タンク６０内に貯留されているタンク水と熱交換するようになっている。なお、給湯タンク６０の内部に配置される冷媒配管は二重管として、給湯熱交換器６１を構成する冷媒配管を保護するようにしてもよい。
【００２７】
また、給湯タンク６０の下部から流出して給湯熱交換器６１を通り給湯タンク６０の上部へとタンク水が通流可能な流路と、この流路上に設けられたポンプと、を備えて、給湯タンク６０の外に給湯熱交換器６１を設ける構成であってもよい。
【００２８】
冷媒調整弁７１は、開閉および開度調整が可能な弁である。冷媒調整弁７１の一方側は、圧縮機１０の吐出側と、分岐する冷媒配管で接続されている。冷媒調整弁７１の他方側は、給湯熱交換器６１と、冷媒配管で接続されている。なお、冷媒調整弁７１は、後述する制御部９０によってその開閉および開度が制御されるようになっている。
【００２９】
冷媒調整弁７２は、開閉および開度調整が可能な弁である。冷媒調整弁７１の一方側は、圧縮機１０の吐出側と、分岐する冷媒配管で接続されている。冷媒調整弁７１の他方側は、冷媒切換弁２０のポートａと、分岐する冷媒配管で接続されている。なお、冷媒調整弁７２は、後述する制御部９０によってその開閉および開度が制御されるようになっている。
【００３０】
即ち、圧縮機１０から吐出された冷媒の流路は、冷媒調整弁７１および給湯熱交換器６１を通って冷媒切換弁２０のポートａへと流入する第１流路と、冷媒調整弁７２を通って冷媒切換弁２０のポートａへと流入する第２流路と、の２系統がある。また、冷媒調整弁７１，７２の開閉および開度を調整することにより、各流路に流れる冷媒の量を制御することができる。
【００３１】
なお、冷媒調整弁７１と給湯熱交換器６１とを接続する冷媒配管には接続弁８７が設けられており、給湯熱交換器６１と冷媒切換弁２０のポートａとを接続する冷媒配管には接続弁８８が設けられている。このような構成により、給湯タンク６０（給湯熱交換器６１）は、接続弁８７，８８を介して取り付け取り外しができるようになっている。
【００３２】
また、接続弁８７，８８を介して給湯タンク６０（給湯熱交換器６１）を空調給湯システムＳに取り付けた際、制御部９０とタンク温度検出器９４も接続される構造となっていることが好ましい。このような構成により、制御部９０は、タンク温度検出器９４の接続の有無を判定することにより、給湯タンク６０（給湯熱交換器６１）が空調給湯システムＳに取り付けられているか否かを判定することができる。
【００３３】
また、第１実施形態に係る空調給湯システムＳは、冷媒調整弁４１〜４３および室内熱交換器５１〜５３をバイパスして、室外熱交換器３０と冷媒切換弁２０のポートｃとを接続する流路であるバイパス流路を備え、このバイパス流路に冷媒調整弁７０を備えている。
【００３４】
冷媒調整弁７０は、開閉および開度調整が可能な弁である。冷媒調整弁７０の一方側は、室外熱交換器３０と、分岐する冷媒配管で接続されている。冷媒調整弁７０の他方側は、冷媒切換弁２０のポートｃと、分岐する冷媒配管で接続されている。なお、冷媒調整弁７０は、後述する制御部９０によってその開閉および開度が制御されるようになっている。
【００３５】
即ち、室外熱交換器３０から冷媒切換弁２０のポートｃまでの冷媒の流路は、冷媒調整弁４１および室内熱交換器５１を通る流路と、冷媒調整弁４２および室内熱交換器５２を通る流路と、冷媒調整弁４３および室内熱交換器５３を通る流路と、冷媒調整弁７０を通るバイパス流路と、の４系統がある。また、冷媒調整弁４１〜４３，７０の開閉および開度を調整することにより、各流路に流れる冷媒の量を制御することができる。
【００３６】
制御部９０は、圧縮機１０、冷媒切換弁２０、室外送風機３１、冷媒調整弁４１〜４３，および冷媒調整弁７０〜７２を制御することにより、第１実施形態に係る空調給湯システムＳの全体を制御することができるようになっている。また、制御部９０は、各温度検出器９１〜９４で検出した温度信号が入力されるようになっている。
【００３７】
次に、第１実施形態に係る空調給湯システムＳにおける各種運転について説明する。第１実施形態に係る空調給湯システムＳは、室内機（室内熱交換器５１〜５３）が設置された室内を冷房する冷房運転と、室内機が設置された室内を冷房するとともに給湯タンク６０内のタンク水を加熱する（沸き上げる）冷房・沸き上げ運転と、室内機が設置された室内を暖房する暖房運転と、室内機が設置された室内を暖房するとともに給湯タンク６０内のタンク水を加熱する暖房・沸き上げ運転と、給湯タンク６０内のタンク水を加熱する沸き上げ運転と、室外熱交換器３０の霜取りを行う除霜運転（第１〜第４除霜運転）と、を行うことができるようになっている。
【００３８】
＜冷房運転＞
冷房運転において、制御部９０は、圧縮機１０および室外送風機３１を運転し、冷媒切換弁２０の切換主弁２１を図１の実線で示す位置とし、冷媒調整弁７０，７１を全閉とし、冷媒調整弁７２を全開とし、冷媒調整弁４１〜４３を開度調整する。
【００３９】
圧縮機１０から吐出された高温高圧の冷媒は、冷媒調整弁７２、冷媒切換弁２０のポートａ，ｂを経由して、凝縮器として機能する室外熱交換器３０に流入し、室外空気と熱交換することにより放熱する。室外熱交換器３０で放熱した冷媒は、膨張弁として機能する冷媒調整弁４１〜４３に流入し、低温低圧の冷媒となり、蒸発器として機能する室内熱交換器５１〜５３で室内空気と熱交換することにより吸熱する。この際、冷媒から吸熱され温度が下がった室内空気が室内機から室内に吹き出されることにより、室内を空調（冷房）する。そして、室内熱交換器５１〜５３で吸熱した冷媒は、冷媒切換弁２０のポートｃ，ｄを経由して、圧縮機１０に吸い込まれる。
【００４０】
このように、第１実施形態に係る空調給湯システムＳは、冷房運転を行うことにより、室内機（室内熱交換器５１〜５３）が設置された室内を冷房することができる。
【００４１】
＜冷房・沸き上げ運転＞
冷房・沸き上げ運転において、制御部９０は、圧縮機１０および室外送風機３１を運転し、冷媒切換弁２０の切換主弁２１を図１の実線で示す位置とし、冷媒調整弁７０を全閉とし、冷媒調整弁４１〜４３，７１〜７２を開度調整する。
【００４２】
なお、一般に、室内の室温調整において、例えば、室内の冷房空調における温度変動の範囲は２７〜３５℃であり、サーバルームの冷房空調における温度変動の範囲は約８〜１０℃であり、室内の暖房空調における温度変動の範囲は０〜２０℃であり、いずれも温度差が３０℃以内に収まっている。一方、給湯タンク６０のタンク水における温度変動の範囲は、例えば０〜５５℃であり、大幅に温度範囲が広がっている。そこで、給湯タンク６０内のタンク水を加熱する運転時において、制御部９０は、圧縮機１０の吐出目標温度を冷房運転や暖房運転時よりも高く設定する。
【００４３】
圧縮機１０から吐出された高温高圧の冷媒は、一部が冷媒調整弁７２を経由して、凝縮器として機能する給湯熱交換器６１に流入し、給湯タンク６０内のタンク水と熱交換することにより放熱する。この際、冷媒から放熱されることにより、給湯タンク６０内のタンク水が加熱（沸き上げ）される。給湯熱交換器６１で放熱した冷媒および冷媒調整弁７２を経由する高温高圧の冷媒の残部は、冷媒切換弁２０のポートａ，ｂを経由して、凝縮器として機能する室外熱交換器３０に流入し、室外空気と熱交換することにより放熱する。室外熱交換器３０で放熱した冷媒は、膨張弁として機能する冷媒調整弁４１〜４３に流入し、低温低圧の冷媒となり、蒸発器として機能する室内熱交換器５１〜５３で室内空気と熱交換することにより吸熱する。この際、冷媒から吸熱され温度が下がった室内空気が室内機から室内に吹き出されることにより、室内を空調（冷房）する。そして、室内熱交換器５１〜５３で吸熱した冷媒は、冷媒切換弁２０のポートｃ，ｄを経由して、圧縮機１０に吸い込まれる。
【００４４】
このように、第１実施形態に係る空調給湯システムＳは、冷房・沸き上げ運転を行うことにより、給湯熱交換器６１および室外熱交換器３０が凝縮器として機能する。即ち、凝縮熱の一部を給湯熱交換器６１で放熱してタンク水の加熱に利用し、凝縮熱の残部を室外熱交換器３０で放熱するようになっている。これにより、室内機（室内熱交換器５１〜５３）が設置された室内を冷房するとともに、給湯タンク６０内のタンク水を沸き上げることができる。
【００４５】
ここで、第１実施形態に係る空調給湯システムＳの冷房・沸き上げ運転における制御について図２を用いて更に説明する。図２は、第１実施形態に係る空調給湯システムＳの冷房・沸き上げ運転における給湯タンク６０内のタンク水温度と、冷媒調整弁７１，７２、圧縮機１０の吐出目標温度および室外送風機３１の制御と、を説明するタイムチャートである。
【００４６】
まず、時間帯Ｐ０において、制御部９０は、空調給湯システムＳの運転として冷房運転を行っているものとする。そして、時間Ｐ１において、空調給湯システムＳの運転を冷房・沸き上げ運転に切り換えたものとする。この際、制御部９０は、タンク温度検出器９４の接続の有無を判定することにより、給湯タンク６０（給湯熱交換器６１）が空調給湯システムＳに取り付けられているか否かを判定し、取り付けられていない場合には、冷房・沸き上げ運転に切り換えを禁止するようになっている。なお、図２で説明する例においては、冷房・沸き上げ運転の開始時における給湯タンク６０内のタンク水の初期温度Ｔ0 は、判定閾値温度Ｔ1 よりも低い場合を例に説明する。
【００４７】
時間帯Ｐ２に示すように、タンク水温度（タンク温度検出器９４の検出温度）が判定閾値温度Ｔ1 未満の場合、制御部９０は、冷媒調整弁７１を全開とし、冷媒調整弁７２を全閉とし、室外送風機３１のファン回転速度を所定の回転速度（１００％）よりも低い回転速度ｎ1 とする。また、圧縮機１０の吐出目標温度は、冷房運転の時の吐出目標温度Ｔ3 よりも高い吐出目標温度Ｔ4 が設定され、制御部９０は、吐出温度（吐出温度検出器９１の検出温度）が吐出目標温度Ｔ4 がとなるように圧縮機１０を制御する。
【００４８】
なお、判定閾値温度Ｔ1 は、予め設定された温度（例えば、２７℃）としてもよく、例えば、室外空気温度（室外空気温度検出器９２の検出温度）としてもよい。
【００４９】
そして、時間帯Ｐ３に示すように、タンク水温度が判定閾値温度Ｔ1 以上かつ判定閾値温度Ｔ2 未満の場合、制御部９０は、タンク水温度が高いほど冷媒調整弁７１の開度が小さくなるように制御し、タンク水温度が高いほど冷媒調整弁７２の開度が大きくなるように制御する。ここで、冷媒調整弁７１，７２の開度を調整する際、流路断面積の和が維持されるように、一方の調整弁の開度を広げると他方の調整弁の開度を狭めるように制御する。また、制御部９０は、冷媒調整弁７１の開度が小さくなるほど室外送風機３１のファン回転速度が速くなるように制御する。なお、圧縮機１０の吐出目標温度は、吐出目標温度Ｔ4 が設定されたままである。
【００５０】
なお、判定閾値温度Ｔ2 は、タンク水の沸き上げ目標温度（例えば、５５℃）である。ちなみに、判定閾値温度Ｔ1 と判定閾値温度Ｔ2 は「Ｔ1 ＜Ｔ2 」であり、判定閾値温度Ｔ2 と吐出目標温度Ｔ4 は「Ｔ2 ＜Ｔ4 」である。
【００５１】
そして、時間Ｐ４において、給湯タンク６０内のタンク水の沸き上げが完了する。沸き上げが完了すると、制御部９０は、冷媒調整弁７１を全閉とし、冷媒調整弁７２を全開とし、室外送風機３１のファン回転速度を所定の回転速度（１００％）とする。また、圧縮機１０の吐出目標温度は、冷房運転の時の吐出目標温度Ｔ3 が設定され、制御部９０は、吐出温度（吐出温度検出器９１の検出温度）が吐出目標温度Ｔ3 となるように圧縮機１０等を制御する。
【００５２】
そして、時間帯Ｐ５に示すように、沸き上げが完了した後にタンク水温度が判定閾値温度Ｔ2 未満となる間は、制御部９０は、冷媒調整弁７１を一部開き、流路断面積の和が等しくなるように冷媒調整弁７２を一部閉じ、圧縮機１０の吐出目標温度を吐出目標温度Ｔ4 に設定する。なお、室外送風機３１のファン回転速度を所定の回転速度（１００％）を維持する。
【００５３】
以上のように、第１実施形態に係る空調給湯システムＳは、冷房・沸き上げ運転を行うことにより、室内機（室内熱交換器５１〜５３）が設置された室内を冷房するとともに、一般的な冷房運転の際には室外空気に排熱する凝縮熱を利用して給湯タンク６０内のタンク水を沸き上げることができる。
【００５４】
また、室外熱交換器３０だけでなく給湯熱交換器６１を凝縮器として機能させて凝縮熱を処理するので、室外熱交換器３０における熱処理量を低減することができる。換言すれば、図２の時間帯Ｐ２，Ｐ３に示すように、室外送風機３１の回転速度を低減させることができる。これにより、室外送風機３１の消費電力を削減することができるので、空調給湯システムＳの省エネ化を図ることができる。
【００５５】
また、冷媒調整弁７１，７２の開度を調整する際、流路断面積の和が維持されるように、一方の調整弁の開度を広げると他方の調整弁の開度を狭めるように制御することにより、流路断面積が狭まることによるサイクルバランスや効率の低下を防ぐことができる。
【００５６】
また、制御部９０は、冷媒調整弁７１の開度に応じて室外送風機３１の回転速度を制御するので、１つのパラメータに応じて制御することができ、制御が容易となる。また、制御部９０は、圧縮機出口温度に基づいて圧縮機を制御するので、１つのパラメータに応じて制御することができ、制御が容易となる。
【００５７】
＜暖房運転＞
暖房運転において、制御部９０は、圧縮機１０および室外送風機３１を運転し、冷媒切換弁２０の切換主弁２１を図１の破線で示す位置とし、冷媒調整弁７０，７１を全閉とし、冷媒調整弁７２を全開とし、冷媒調整弁４１〜４３を開度調整する。
【００５８】
圧縮機１０から吐出された高温高圧の冷媒は、冷媒調整弁７２、冷媒切換弁２０のポートａ，ｃを経由して、凝縮器として機能する室内熱交換器５１〜５３に流入し、室内空気と熱交換することにより放熱する。この際、冷媒から放熱され温度が上がった室内空気が室内機から室内に吹き出されることにより、室内を空調（暖房）する。室内熱交換器５１〜５３で放熱した冷媒は、膨張弁として機能する冷媒調整弁４１〜４３に流入し、低温低圧の冷媒となり、蒸発器として機能する室外熱交換器３０で室外空気と熱交換することにより吸熱する。そして、室外熱交換器３０で吸熱した冷媒は、冷媒切換弁２０のポートｂ，ｄを経由して、圧縮機１０に吸い込まれる。
【００５９】
このように、第１実施形態に係る空調給湯システムＳは、暖房運転を行うことにより、室内機（室内熱交換器５１〜５３）が設置された室内を暖房することができる。
【００６０】
また、暖房運転の開始時において、給湯タンク６０内のタンク水の温度（タンク温度検出器９４の検出温度）が所定の第１閾値温度以上の場合、冷媒調整弁７１，７２の開度を調整して、圧縮機１０から吐出される冷媒の一部（全てであってもよい）を給湯熱交換器６１に流すようにしてもよい。暖房運転の開始時においては、圧縮機１０の吐出温度が低いため、室内熱交換器５１〜５３に供給される冷媒の温度も低くなっている。これに対し、本制御によれば、給湯タンク６０内のタンク水の熱を利用して冷媒を温めることにより、室内熱交換器５１〜５３に供給される冷媒の温度を速やかに高くすることができ、使用者の暖房運転の要求に対して応答性のよい空調給湯システムＳとすることができる。そして、圧縮機１０の吐出温度（吐出温度検出器９１の検出温度）が所定の第２閾値温度以上となると、制御部９０は、冷媒調整弁７１を全閉とし、冷媒調整弁７２を全開として、通常の暖房運転に移行してもよい。
【００６１】
また、室内の温度が所定の設定温度となり、かつ、給湯タンク６０内のタンク水の温度（タンク温度検出器９４の検出温度）が所定温度以上の場合、制御部９０は、圧縮機１０および室外送風機３１を停止し、冷媒切換弁２０の切換主弁２１を図１の破線で示す位置とし、冷媒調整弁４１〜４３，７０〜７２を全閉としてもよい。このような状態において、給湯熱交換器６１、接続弁８８を含む冷媒配管、冷媒切換弁２０のポートａ，ｃ、接続弁８２，８４，８６を含む冷媒配管、室内熱交換器５１〜５３が熱的に接続されている。これにより、給湯タンク６０のタンク水の熱が室内熱交換器５１〜５３に供給されるので、室内の温度が低下することを抑制することができる。
【００６２】
＜暖房・沸き上げ運転＞
暖房・沸き上げ運転において、制御部９０は、圧縮機１０および室外送風機３１を運転し、冷媒切換弁２０の切換主弁２１を図１の破線で示す位置とし、冷媒調整弁７０を全閉とし、冷媒調整弁４１〜４３，７１〜７２を開度調整する。
【００６３】
圧縮機１０から吐出された高温高圧の冷媒は、一部が冷媒調整弁７２を経由して、凝縮器として機能する給湯熱交換器６１に流入し、給湯タンク６０内のタンク水と熱交換することにより放熱する。この際、冷媒から放熱されることにより、給湯タンク６０内のタンク水が加熱（沸き上げ）される。給湯熱交換器６１で放熱した冷媒および冷媒調整弁７２を経由する高温高圧の冷媒の残部は、冷媒切換弁２０のポートａ，ｂを経由して、凝縮器として機能する室内熱交換器５１〜５３に流入し、室内空気と熱交換することにより放熱する。この際、冷媒から放熱され温度が上がった室内空気が室内機から室内に吹き出されることにより、室内を空調（暖房）する。室内熱交換器５１〜５３で放熱した冷媒は、膨張弁として機能する冷媒調整弁４１〜４３に流入し、低温低圧の冷媒となり、蒸発器として機能する室外熱交換器３０で室外空気と熱交換することにより吸熱する。そして、室外熱交換器３０で吸熱した冷媒は、冷媒切換弁２０のポートｂ，ｄを経由して、圧縮機１０に吸い込まれる。
【００６４】
このように、第１実施形態に係る空調給湯システムＳは、暖房・沸き上げ運転を行うことにより、室内機（室内熱交換器５１〜５３）が設置された室内を暖房するとともに、凝縮熱の一部を利用して給湯タンク６０内のタンク水を沸き上げることができる。
【００６５】
ここで、第１実施形態に係る空調給湯システムＳの暖房・沸き上げ運転における制御について図３を用いて更に説明する。図３は、第１実施形態に係る空調給湯システムＳの暖房・沸き上げ運転における給湯タンク６０内のタンク水温度と、冷媒調整弁７１，７２、圧縮機１０の吐出目標温度および室外送風機３１の制御と、を説明するタイムチャートである。
【００６６】
第１実施形態に係る空調給湯システムＳの暖房・沸き上げ運転においては、室外熱交換器３０のみが蒸発器として機能する。このため、図３に示すように、室外送風機３１のファン回転速度は、所定の回転速度（１００％）とする点で冷房・沸き上げ運転と異なっている。その他は、同様であり重複する説明を省略する。
【００６７】
＜沸き上げ運転＞
沸き上げ運転において、制御部９０は、圧縮機１０および室外送風機３１を運転し、冷媒切換弁２０の切換主弁２１を図１の破線で示す位置とし、冷媒調整弁４１〜４３，７２を全閉とし、冷媒調整弁７１を全開とし、冷媒調整弁７０を開度調整する。
【００６８】
圧縮機１０から吐出された高温高圧の冷媒は、冷媒調整弁７１を経由して、凝縮器として機能する給湯熱交換器６１に流入し、給湯タンク６０内のタンク水と熱交換することにより放熱する。この際、冷媒から放熱されることにより、給湯タンク６０内のタンク水が加熱（沸き上げ）される。給湯熱交換器６１で放熱した冷媒は、冷媒切換弁２０のポートａ，ｃを経由して、膨張弁として機能する冷媒調整弁７０に流入し、低温低圧の冷媒となり、蒸発器として機能する室外熱交換器３０で室外空気と熱交換することにより吸熱する。そして、室外熱交換器３０で吸熱した冷媒は、冷媒切換弁２０のポートｂ，ｄを経由して、圧縮機１０に吸い込まれる。
【００６９】
なお、沸き上げ運転においては、冷媒調整弁４１〜４３を全閉とし、室内熱交換器５１〜５３には冷媒が流れないようになっているので、室内の温度の変動を抑制することができる。
【００７０】
このように、第１実施形態に係る空調給湯システムＳは、沸き上げ運転を行うことにより、室内を冷房または暖房することなく、給湯タンク６０内のタンク水を沸き上げることができる。
【００７１】
＜除霜運転＞
暖房運転、暖房・沸き上げ運転および沸き上げ運転において、室外熱交換器３０は蒸発器として機能することにより、冷媒が吸熱して、室外空気が冷却される。このため、室外空気の湿度が高く、かつ、室外空気の温度が低いと、室外熱交換器３０に霜が付着して室外熱交換器３０の熱交換性能を低下させることがある。このため、第１実施形態に係る空調給湯システムＳは、付着した霜を除去する除霜運転（デフロスト運転）を行うことができるようになっている。
【００７２】
なお、制御部９０は、室外空気温度検出器９２で検出した室外熱交換器３０の温度と、室外熱交換器温度検出器９３で検出した室外空気の温度と、に基づいて、例えば室外の露点等を算出することにより、室外熱交換器３０における着霜量を推定する。そして、制御部９０は、例えば推定した室外熱交換器３０における着霜量が所定の閾値量を超えたら、除霜運転を行うと判定する。
【００７３】
ちなみに、第１実施形態に係る空調給湯システムＳは、以下に示す４パターンの除霜運転を行うことができるようになっている。
【００７４】
（第１除霜運転）
第１除霜運転において、制御部９０は、圧縮機１０および室外送風機３１を運転し、冷媒切換弁２０の切換主弁２１を図１の実線で示す位置とし、冷媒調整弁７０，７１を全閉とし、冷媒調整弁４１〜４３，７２を全開とする。
【００７５】
圧縮機１０から吐出された吐出冷媒は、冷媒調整弁７２、冷媒切換弁２０のポートａ，ｂを経由して、室外熱交換器３０に流入し、室外空気と熱交換することにより放熱する。この際、冷媒が室外空気に放熱することにより、室外熱交換器３０に付着した霜を融かす。室外熱交換器３０で放熱した冷媒は、冷媒調整弁４１〜４３を経由して、室内熱交換器５１〜５３で室内空気と熱交換することにより吸熱する。なお、室内空気が吸熱されることにより、室内の温度が低下する。そして、室内熱交換器５１〜５３で吸熱した冷媒は、冷媒切換弁２０のポートｃ，ｄを経由して、圧縮機１０に吸い込まれる。
【００７６】
このように、第１実施形態に係る空調給湯システムＳは、第１除霜運転を行うことにより、室外熱交換器３０に付着した霜を除去することができる。
【００７７】
（第２除霜運転）
第２除霜運転は、給湯タンク６０内のタンク水の温度（タンク温度検出器９４の検出温度）が所定温度以上の場合、選択される。なお、給湯タンク６０内のタンク水の温度（タンク温度検出器９４の検出温度）が圧縮機１０の吐出温度（吐出温度検出器９１の検出温度）以上の場合、選択されるものとしてもよい。
【００７８】
第２除霜運転は、第１除霜運転と比較して、圧縮機１０から吐出された冷媒の一部を給湯熱交換器６１にも流入させるようになっている。即ち、第２除霜運転において、制御部９０は、圧縮機１０および室外送風機３１を運転し、冷媒切換弁２０の切換主弁２１を図１の実線で示す位置とし、冷媒調整弁７０を全閉とし、冷媒調整弁４１〜４３を全開とし、冷媒調整弁７１〜７２を開度調整する。
【００７９】
圧縮機１０から吐出された吐出冷媒は、一部が冷媒調整弁７２を経由して、加熱源として機能する給湯熱交換器６１に流入し、給湯タンク６０内の高温のタンク水と熱交換することにより加熱される。なお、タンク水が吸熱されることにより、給湯タンク６０内のタンク水の温度が低下する。給湯熱交換器６１で加熱された冷媒および冷媒調整弁７２を経由する吐出冷媒の残部は、冷媒切換弁２０のポートａ，ｂを経由して、室外熱交換器３０に流入し、室外空気と熱交換することにより放熱する。この際、冷媒が室外空気に放熱することにより、室外熱交換器３０に付着した霜を融かす。室外熱交換器３０で放熱した冷媒は、冷媒調整弁４１〜４３を経由して、室内熱交換器５１〜５３で室内空気と熱交換することにより吸熱する。なお、室内空気が吸熱されることにより、室内の温度が低下する。そして、室内熱交換器５１〜５３で吸熱した冷媒は、冷媒切換弁２０のポートｃ，ｄを経由して、圧縮機１０に吸い込まれる。
【００８０】
このように、第１実施形態に係る空調給湯システムＳは、第２除霜運転を行うことにより、室外熱交換器３０に付着した霜を除去することができる。また、第１除霜運転では室内の熱を用いて除霜を行うのに対し、第２除霜運転では室内の熱および給湯タンク６０内のタンク水の熱を利用して除霜を行うようになっている。これにより、第２除霜運転は、第１除霜運転よりも室内の温度の低下を抑制することができる。
【００８１】
（第３除霜運転）
第３除霜運転は、給湯タンク６０内のタンク水の温度（タンク温度検出器９４の検出温度）が所定温度以上の場合、選択される。なお、給湯タンク６０内のタンク水の温度（タンク温度検出器９４の検出温度）が圧縮機１０の吐出温度（吐出温度検出器９１の検出温度）以上の場合、選択されるものとしてもよい。
【００８２】
第３除霜運転において、制御部９０は、圧縮機１０および室外送風機３１を運転し、冷媒切換弁２０の切換主弁２１を図１の実線で示す位置とし、冷媒調整弁４１〜４３を全閉とし、冷媒調整弁７０を全開とし、冷媒調整弁７１，７２を開度調整する。
【００８３】
圧縮機１０から吐出された吐出冷媒は、一部が冷媒調整弁７２を経由して、加熱源として機能する給湯熱交換器６１に流入し、給湯タンク６０内の高温のタンク水と熱交換することにより加熱される。なお、タンク水が吸熱されることにより、給湯タンク６０内のタンク水の温度が低下する。給湯熱交換器６１で加熱された冷媒および冷媒調整弁７２を経由する吐出冷媒の残部は、冷媒切換弁２０のポートａ，ｂを経由して、室外熱交換器３０に流入し、室外空気と熱交換することにより放熱する。この際、冷媒が室外空気に放熱することにより、室外熱交換器３０に付着した霜を融かす。室外熱交換器３０で放熱した冷媒は、冷媒調整弁７０および冷媒切換弁２０のポートｃ，ｄを経由して、圧縮機１０に吸い込まれる。
【００８４】
このように、第１実施形態に係る空調給湯システムＳは、第３除霜運転を行うことにより、室外熱交換器３０に付着した霜を除去することができる。また、第１〜２除霜運転では室内の温度が低下するのに対し、第３除霜運転では冷媒調整弁４１〜４３を全閉とし、室内熱交換器５１〜５３には冷媒が流れないようになっているので、室内の温度の低下を抑制することができる。これにより、第３除霜運転は、室内環境を乱すことなく好適に除霜運転を行うことができる。
【００８５】
（第４除霜運転：暖房・除霜運転）
第４除霜運転は、室内の暖房を継続しながら除霜を行う運転である。第４除霜運転は、給湯タンク６０内のタンク水の温度（タンク温度検出器９４の検出温度）が所定温度以上の場合、選択される。なお、給湯タンク６０内のタンク水の温度（タンク温度検出器９４の検出温度）が圧縮機１０の吐出温度（吐出温度検出器９１の検出温度）以上の場合、選択されるものとしてもよい。
【００８６】
第４除霜運転において、制御部９０は、圧縮機１０および室外送風機３１を運転し、冷媒切換弁２０の切換主弁２１を図１の破線で示す位置とし、冷媒調整弁４１〜４３，７０〜７２を開度調整する。
【００８７】
圧縮機１０から吐出された吐出冷媒は、一部が冷媒調整弁７２を経由して、加熱源として機能する給湯熱交換器６１に流入し、給湯タンク６０内の高温のタンク水と熱交換することにより加熱される。なお、タンク水が吸熱されることにより、給湯タンク６０内のタンク水の温度が低下する。給湯熱交換器６１で加熱された冷媒および冷媒調整弁７２を経由する吐出冷媒の残部は、冷媒切換弁２０のポートａに流入する。冷媒切換弁２０のポートｃから流出した冷媒の一部は、室内熱交換器５１〜５３に流入し、室内空気と熱交換することにより放熱する。この際、冷媒から放熱され温度が上がった室内空気が室内機から室内に吹き出されることにより、室内を空調（暖房）する。室内熱交換器５１〜５３で放熱した冷媒は、冷媒調整弁４１〜４３に流入し、低温低圧の冷媒となり、室外熱交換器３０に流入する。また、冷媒切換弁２０のポートｃから流出した冷媒の残部は、冷媒調整弁７０を介して、室外熱交換器３０に流入する。ここで、室外熱交換器３０に流入する冷媒の温度は、冷媒調整弁７０を介して流入する冷媒により、通常の暖房運転の場合と比較して、高温となる。このため、室外熱交換器３０に付着した霜を融かすことができる。そして、室外熱交換器３０から流出した冷媒は、冷媒切換弁２０のポートｂ，ｄを経由して、圧縮機１０に吸い込まれる。
【００８８】
このように、第１実施形態に係る空調給湯システムＳは、第４除霜運転を行うことにより、暖房運転を継続したまま、室外熱交換器３０に付着した霜を除去することができる。また、この際、給湯タンク６０内のタンク水の熱を利用するので、暖房能力の低下を抑制することができるとともに、除霜能力を向上させることができ、短時間で除霜を完了させることができる。
【００８９】
また、第１〜第３除霜運転から暖房運転に復帰する場合、圧縮機１０を一度停止させた後に、冷媒切換弁２０の切換主弁２１の位置を切り換えてから（図１の実線で示す位置から破線で示す位置）、再び圧縮機１０を起動することとなる。これに対し、第４除霜運転から暖房運転に復帰する場合、冷媒切換弁２０の切換主弁２１の位置を切り換える必要がなく、圧縮機１０を停止・再起動する必要もないため、暖房運転への復帰も短時間で行うことができる。
【００９０】
＜作用効果＞
以上、第１実施形態に係る空調給湯システムＳによれば、冷房運転、暖房運転、沸き上げ運転をそれぞれ運転することができる。加えて、冷房運転時および暖房運転時においても、給湯タンク６０内のタンク水を沸き上げることができる（冷房・沸き上げ運転、暖房・沸き上げ運転）。また、第１実施形態に係る空調給湯システムＳによれば、好適に除霜運転（第１〜第４除霜運転）を行うことができる。
【００９１】
≪第２実施形態≫
第２実施形態に係る空調給湯システムＳの構成について、図４を用いて説明する。図４は、第２実施形態に係る空調給湯システムＳの冷凍サイクル図である。
【００９２】
図４に示すように、第２実施形態に係る空調給湯システムＳは、第１実施形態に係る空調給湯システムＳ（図１参照）と比較して、冷媒調整弁７２に替えて冷媒開閉弁７３を備えている点で異なっている。その他の構成は、第１実施形態に係る空調給湯システムＳと同様であり、重複する説明を省略する。
【００９３】
即ち、第２実施形態に係る空調給湯システムＳにおいて、圧縮機１０から吐出された冷媒の流路は、冷媒調整弁７１および給湯熱交換器６１を通って冷媒切換弁２０のポートａへと流入する第１流路と、冷媒開閉弁７３を通って冷媒切換弁２０のポートａへと流入する第２流路と、の２系統がある。
【００９４】
冷媒開閉弁７３は、開閉が可能な弁である。冷媒開閉弁７３の一方側は、圧縮機１０の吐出側と、分岐する冷媒配管で接続されている。冷媒開閉弁７３の他方側は、冷媒切換弁２０のポートａと、分岐する冷媒配管で接続されている。なお、冷媒開閉弁７３は、制御部９０によってその開閉が制御されるようになっている。
【００９５】
制御部９０は、冷媒調整弁７１の開度制御および冷媒開閉弁７３の開閉制御により、給湯熱交換器６１を経由する冷媒量を制御する。これにより、第２実施形態に係る空調給湯システムＳは、第１実施形態に係る空調給湯システムＳと同様に、冷房運転と、暖房運転と、沸き上げ運転と、冷房・沸き上げ運転と、暖房・沸き上げ運転と、除霜運転（第１〜第４除霜運転）と、を行うことができる。
【００９６】
≪第３実施形態≫
第３実施形態に係る空調給湯システムＳの構成について、図５を用いて説明する。図５は、第３実施形態に係る空調給湯システムＳの冷凍サイクル図である。
【００９７】
図５に示すように、第３実施形態に係る空調給湯システムＳは、冷媒調整弁７２および冷媒開閉弁７３の両方を備えている点で異なっている。その他の構成は、第１実施形態に係る空調給湯システムＳと同様であり、重複する説明を省略する。
【００９８】
即ち、第３実施形態に係る空調給湯システムＳにおいて、圧縮機１０から吐出された冷媒の流路は、冷媒調整弁７１および給湯熱交換器６１を通って冷媒切換弁２０のポートａへと流入する第１流路と、冷媒調整弁７２を通って冷媒切換弁２０のポートａへと流入する第２流路と、冷媒開閉弁７３を通って冷媒切換弁２０のポートａへと流入する第３流路と、の３系統がある。
【００９９】
制御部９０は、冷媒調整弁７１，７２の開度制御および冷媒開閉弁７３の開閉制御により、給湯熱交換器６１を経由する冷媒量を制御する。これにより、第３実施形態に係る空調給湯システムＳは、第１実施形態に係る空調給湯システムＳと同様に、冷房運転と、暖房運転と、沸き上げ運転と、冷房・沸き上げ運転と、暖房・沸き上げ運転と、除霜運転（第１〜第４除霜運転）と、を行うことができる。
【０１００】
≪変形例≫
なお、本実施形態（第１〜第３実施形態）に係る空調給湯システムＳは、上記実施形態の構成に限定されるものではなく、発明の趣旨を逸脱しない範囲内で種々の変更が可能である。
【０１０１】
本実施形態に係る空調給湯システムＳは、バイパス流路および冷媒調整弁７０を備えているものとして説明したが、これに限られるものではなく、バイパス流路および冷媒調整弁７０を備えていなくてもよい。このような構成においても、本実施形態に係る空調給湯システムＳは、冷房運転と、暖房運転と、冷房・沸き上げ運転と、暖房・沸き上げ運転と、除霜運転（第１〜第２除霜運転）と、を行うことができる。
【０１０２】
第１実施形態に係る空調給湯システムＳは、独立した２つの冷媒調整弁７１，７２で、給湯熱交換器６１を経由する冷媒と、給湯熱交換器６１を経由せず直接冷媒切換弁２０のポートａに導かれる冷媒と、分流させるものとして説明したが、これに限られるものではない。例えば、１つの入口ポート、２つの出口ポートを有し、一方の出口ポートの開度を広げると、他方の出口ポートの開度が狭くなるような３方弁を用いて構成してもよい。
【０１０３】
本実施形態に係る空調給湯システムＳは、複数の室内機（室内熱交換器５１〜５３）と、給湯タンク６０（給湯熱交換器６１）を備えるものとして説明したが、これに限られるものではない。例えば、１つの室内機（室内熱交換器５１）と、給湯タンク６０（給湯熱交換器６１）を備える構成であっても、同様に適用することができる。
【０１０４】
本実施形態に係る空調給湯システムＳは、冷房・沸き上げ運転の時間帯Ｐ３において、制御部９０は、冷媒調整弁７１の開度が小さくなるほど室外送風機３１のファン回転速度が速くなるように制御するものとして説明したがこれに限られるものではない。タンク水温度が高いほど冷媒調整弁７１の開度が小さくなるように制御することから、例えば、制御部９０は、室外送風機３１のファン回転速度を、給湯タンク６０内のタンク水の温度（タンク温度検出器９４の検出温度）に基づいて制御してもよい。
【符号の説明】
【０１０５】
１０          圧縮機
２０          冷媒切換弁（冷媒切換部）
２１          切換主弁
３０          室外熱交換器
３１          室外送風機
３１ａ        流れの向き
４１〜４３    冷媒調整弁（室内冷媒調整弁）
５１〜５３    室内熱交換器
６０          給湯タンク（タンク）
６１          給湯熱交換器（タンク熱交換器）
７０          冷媒調整弁（バイパス路調整弁）
７１          冷媒調整弁（第１冷媒調整弁）
７２          冷媒調整弁（第２冷媒調整弁）
７３          冷媒開閉弁
８１〜８８    接続弁
９０          制御部
９１          吐出温度検出器（冷媒吐出温度検出部）
９２          室外空気温度検出器
９３          室外熱交換器温度検出器
９４          タンク温度検出器（タンク温度検出部）
ａ            ポート（第１ポート）
ｂ〜ｄ        ポート
【図１】
2018036002.tif 000003
【図２】
2018036002.tif 000004
【図３】
2018036002.tif 000005
【図４】
2018036002.tif 000006
【図５】
2018036002.tif 000007